(57)【要約】【課題】既設建物の特有の事情に基づいた建物内光伝送路の効率的な敷設方法を提供する。【解決手段】主端子盤７０とそれぞれの階別端子盤８０とを接続する複数の階別配線５２を各階別端子盤８０への接続配線本数毎に１本化された複数の階別ケーブル５０の一端にあらかじめ光コネクタ５６を取り付け、光コネクタ５６を取り付けていない側を各階別ケーブル孔３３を通してエレベータ昇降路２０の中に挿入し、昇降路壁２１の主ケーブル孔３１を通して各階別ケーブル５０をエレベータ昇降路２０の外側に引き出してエレベータ昇降路内を通して主端子盤７０と各階別端子盤８０との間に各階別ケーブル５０を配置する。各階別ケーブル５０に含まれる階別配線５２は光コネクタ５６によって各端子盤７０，８０に接続する。【選択図】図７
2008058766.tif 000002
【特許請求の範囲】
【請求項１】
既設エレベータを有する既設建物においてエレベータ昇降路の外側の区域に設けられ、当該建物に割り当てられる本数の配線を含む引き込みケーブルの各配線の端部が接続される主端子盤と、
既設建物の各階においてエレベータ昇降路の外側の区域に設けられ、当該階の各戸の端末に１本ずつ配線される複数の各戸ケーブルの各戸配線の一方端部が接続される階別端子盤と、
主端子盤とそれぞれの階別端子盤とを接続する複数の階別配線を各階別端子盤への接続配線本数毎に被覆部によって１本化された複数の階別ケーブルと、
を備える建物内光伝送路の敷設方法であって、
主端子盤が設けられる区域とエレベータ昇降路との間の昇降路壁の主ケーブル孔と、階別端子盤が設けられる各階の区域とエレベータ昇降路との間の昇降路壁の階別ケーブル孔と、を開けるケーブル孔掘削工程と、
既設エレベータの上昇又は下降動作と協調して各階別ケーブルの主端子盤側をエレベータ昇降路の外側から昇降路壁の各階別ケーブル孔を通してエレベータ昇降路内に挿入し、昇降路壁の主ケーブル孔を通して各階別ケーブルの主端子盤側を各階のエレベータ昇降路の外側に引き出し、エレベータ昇降路内を通して主端子盤と各階別端子盤との間に各階別ケーブルを配置する階別ケーブル配置工程と、
各階別ケーブルに含まれる階別配線の階別端子盤側を当該階の階別端子盤に接続し、各階別ケーブルに含まれる階別配線の主端子盤側を主端子盤に接続する階別配線接続工程と、
を有することを特徴とする建物内光伝送路の敷設方法。
【請求項２】
既設エレベータを有する既設建物においてエレベータ昇降路の外側の区域に設けられ、当該建物に割り当てられる本数の配線を含む引き込みケーブルの各配線の端部が接続される主端子盤と、
既設建物の各階においてエレベータ昇降路の外側の区域に設けられ、当該階の各戸の端末に１本ずつ配線される複数の各戸ケーブルの各戸配線の一方端部が接続される階別端子盤と、
主端子盤とそれぞれの階別端子盤とを接続する複数の階別配線を各階別端子盤への接続配線本数毎に被覆部によって１本化された複数の階別ケーブルと、
を備える建物内光伝送路の敷設方法であって、
各階別ケーブルに含まれる階別配線の階別端子盤側を当該階に取り付けられる階別端子盤に接続して階別ケーブル付階別端子盤を作成する階別ケーブル付階別端子盤作成工程と、
主端子盤が設けられる区域とエレベータ昇降路との間の昇降路壁の主ケーブル孔と、階別端子盤が設けられる各階の区域とエレベータ昇降路との間の昇降路壁の階別ケーブル孔と、を開けるケーブル孔掘削工程と、
既設エレベータの上昇又は下降動作と協調して各階別ケーブル付階別端子盤に接続された各階別ケーブルの主端子盤側をエレベータ昇降路の外側から昇降路壁の各階別ケーブル孔を通してエレベータ昇降路内に挿入し、昇降路壁の主ケーブル孔を通して当該各階別ケーブルの主端子盤側を各階のエレベータ昇降路の外側に引き出し、エレベータ昇降路内を通して主端子盤と各階別端子盤との間に当該各階別ケーブルを配置する階別ケーブル配置工程と、
当該各階別ケーブルに含まれる階別配線の主端子盤側を主端子盤に接続する階別配線接続工程と、
を有することを特徴とする建物内光伝送路の敷設方法。
【請求項３】
既設エレベータを有する既設建物においてエレベータ昇降路の外側の区域に設けられ、当該建物に割り当てられる本数の配線を含む引き込みケーブルの各配線の端部が接続される主端子盤と、
既設建物の各階においてエレベータ昇降路の外側の区域に設けられ、当該階の各戸の端末に１本ずつ配線される複数の各戸ケーブルの各戸配線の一方端部が接続される階別端子盤と、
主端子盤とそれぞれの階別端子盤とを接続する複数の階別配線を各階別端子盤への接続配線本数毎に被覆部によって１本化された複数の階別ケーブルと、
を備える建物内光伝送路の敷設方法であって、
主端子盤が設けられる区域とエレベータ昇降路との間の昇降路壁の主ケーブル孔と、階別端子盤が設けられる各階の区域とエレベータ昇降路との間の昇降路壁の階別ケーブル孔と、を開けるケーブル孔掘削工程と、
既設エレベータの上昇又は下降動作と協調して各階別ケーブルの階別端子盤側をエレベータ昇降路の外側から昇降路壁の主ケーブル孔を通してエレベータ昇降路内に挿入し、昇降路壁の各階別ケーブル孔を通して各階別ケーブルの階別端子盤側を各階のエレベータ昇降路の外側に引き出し、エレベータ昇降路内を通して主端子盤と各階別端子盤との間に各階別ケーブルを配置する階別ケーブル配置工程と、
各階別ケーブルに含まれる階別配線の主端子盤側を主端子盤に接続し、各階別ケーブルに含まれる階別配線の階別端子盤側を当該階の階別端子盤に接続する階別配線接続工程と、
を有することを特徴とする建物内光伝送路の敷設方法。
【請求項４】
請求項１に記載の建物内光伝送路の敷設方法であって、
各階別ケーブルに含まれる階別配線の階別端子盤側に接続端子を取り付ける階別ケーブル作成工程を有し、
階別配線接続工程は、各階別ケーブルに含まれる階別配線の階別端子盤側に取り付けられた接続端子を当該階の階別端子盤に接続し、各階のエレベータ昇降路の外側に引き出した各階別ケーブルに含まれる階別配線の主端子盤側に接続端子を取り付け、各接続端子を主端子盤に接続すること、
を特徴とする建物内光伝送路の敷設方法。
【請求項５】
請求項２に記載の建物内光伝送路の敷設方法であって、
階別配線接続工程は、各階のエレベータ昇降路の外側に引き出した各階別ケーブルに含まれる階別配線の主端子盤側に接続端子を取り付け、各接続端子を主端子盤に接続すること、
を特徴とする建物内光伝送路の敷設方法。
【請求項６】
請求項３に記載の建物内光伝送路の敷設方法であって、
各階別ケーブルに含まれる階別配線の主端子盤側に接続端子を取り付ける階別ケーブル作成工程を有し、
階別配線接続工程は、各階別ケーブルに含まれる階別配線の主端子盤側に取り付けられた接続端子を主端子盤に接続し、各階のエレベータ昇降路の外側に引き出した各階別ケーブルに含まれる階別配線の階別端子盤側に接続端子を取り付け、各接続端子を当該階の階別端子盤に接続すること、
を特徴とする建物内光伝送路の敷設方法。
【請求項７】
請求項１から６のいずれか１項に記載の建物内光伝送路の敷設方法であって、
エレベータ昇降路内壁のうち、既設エレベータの上昇又は下降に伴って上下する釣り合い錘が面する内壁面以外の内壁に沿って、建物の最下層と最上層の間に光ケーブル案内索を配置する案内索配置工程を有し、
階別ケーブル配置工程は、案内索に沿って各階別ケーブルを配置すること、
を特徴とする建物内光伝送路の敷設方法。
【請求項８】
請求項１から７のいずれか１項に記載の建物内光伝送路の敷設方法であって、
主ケーブル孔と主ケーブル孔を貫通する階別ケーブルとの隙間及び、それぞれの各階別ケーブル孔と当該階別ケーブル孔を貫通する階別ケーブルとの隙間に耐火材を充填する耐火材充填工程と、
を有することを特徴とする建物内光伝送路の敷設方法。
【請求項９】
請求項１から８のいずれか１項に記載の建物内光伝送路の敷設方法であって、
接続端子の取り付けは、それぞれの配線に光コネクタを融着によって取り付けること、
を特徴とする建物内光伝送路の敷設方法。
【請求項１０】
請求項１から９のいずれか１項に記載の建物内光伝送路の敷設方法であって、
建物内光伝送路は、引き込みケーブルと主端子盤の間に、当該建物に割り当てられる本数の配線を含んで１本化された中間ケーブルと中間端子盤とを備え、
引き込みケーブルの各配線の端部と中間ケーブルの各中間配線の一方端側端部とを中間端子盤で接続し、中間ケーブルの各中間配線の他方端側端部を主端子盤に接続すること、
を特徴とする建物内光伝送路の敷設方法。
【発明の詳細な説明】
【技術分野】
【０００１】
本発明は、建物内光伝送路の敷設方法に係り、特に、既設建物内に主幹線光ケーブルから引き込まれ、建物内の各戸に配線される建物内光伝送路の敷設方法に関する。
【背景技術】
【０００２】
近年、インターネットなどの普及に伴って、高速大容量の通信伝送路は必須の要件となりつつある。また、従来このような大容量通信伝送路が必要なかった中小の事務所ビルあるいは集合住宅などにおいてもその必要性が増してきている。これらの通信伝送路は、ＬＡＮ（Ｌｏｃａｌ  Ａｒｅａ  Ｎｅｔｗｏｒｋ）の利用等を目的として光ケーブルを敷設することによって構成することが多くなされている。
【０００３】
図１４に光ケーブルによる通信伝送路網を示す。基幹光ケーブル３０１によって各基幹局３０７が接続され基幹光ネットワークが形成される。各基幹局３０７には基幹分配器３０８が設けられ、基幹光ケーブル３０１を各幹線光ケーブル３０２に分岐する。各幹線光ケーブル３０２は分岐点３０９にて各建物３１４に向かう支線光ケーブル３０３を分岐する。各支線光ケーブル３０３は各建物３１４の主分配器３１０に接続される。主分配器３１０からは建屋内光ケーブル３０４によって建物各階の各階分配器３１１に接続され、各階分配器から個別光ケーブル３０６によって各個の端末３１２に接続されている。各個別の住宅３１７に接続する時には、幹線光ケーブル３０２の分岐点３０９から光ドロップケーブル３１６によって接続器３１３に接続され、ここから屋内の個別光ケーブル３０６によって各個の端末３１２に接続される。
【０００４】
光ケーブルはその特性上、曲がると伝播特性が劣化したり、破損が生じたりすることから、各ケーブルに最小曲げ半径が規定されている。幹線光ケーブル３０２に用いられる数百心をまとめた大容量のテープスロット型ケーブルではその最小曲げ半径は３００〜６００ｍｍ、支線光ケーブル３０３、建屋内光ケーブル３０４に用いられる数十心をまとめた中小容量のテープスロット型ケーブルでもその最小曲げ半径は１００〜２００ｍｍで、個別光ケーブル３０６に用いられる単心のインドアケーブルでは１５〜３０ｍｍ程度となっている。このため、建屋内光ケーブル３０４は専用の直線状の縦配線路に設置され、分配器からの個別光ケーブル３０６は各個への曲げ配管の中に設置されることが多い。
【０００５】
新規に建設される建物では、予め配線配管等の配線経路を確保して建物設計が行われるので、光ケーブルを建物内に敷設することが容易である。一方、既設のビル、あるいは中小の事務所ビルあるいは集合住宅はこのような光ファイバケーブルによる高速大容量の通信伝送路を設置することを考慮した設計となっていないため、上記のような直線状の縦配線路を設置できるようなスペースがなく、このような既設の建物内へ光ケーブルを敷設する場合は、建物の各階の床に穴開けし、建物の縦方向に光ケーブルを敷設する縦配線路を設けていた。しかし、各階の床に穴を開ける工事はコスト及び工期がかかる上、工事音等による居住者やテナントに対する影響も大きい。
【０００６】
そこで、既存建物が既存のエレベータを備えている場合に、その昇降路を用いて光ケーブルを通すことが検討されている。
【０００７】
例えば、特許文献１には、携帯電話公衆基地局の設置方法として、建物の最上部に設けられるエレベータ機械室の中に公衆基地局を設置し、光ファイバケーブルをエレベータ機械室から建物の最下部に向けて、建物内に延設されるエレベータ昇降路内を通して交換機まで配線することが開示されている。
【０００８】
また、特許文献２には、既設ビルに光ケーブルネットワークを簡便に構築する方法として、エレベータ昇降路内に、インターネットに接続されるサーバとエレベータ制御盤とに接続される光ケーブルを配設し、各階床ごとの呼び装置内にセパレータとコンバータを設け、セパレータはエレベータの呼び信号と、インターネットの外部通信信号とを分離し、コンバータはエレベータの呼びボタンの電気信号と光信号との間の信号変換を行うことが開示されている。ここでは、外部と各階ユーザとの間のインターネット通信の信号交信は、エレベータ昇降路内の光ケーブルとセパレータと各階に配置されたハブを経由して行われている。そして、光ケーブルの曲げを少なくするために、鏡を用いて光路を曲げ、あるいは壁に斜め方向に貫通穴を開けることを提案している。
【０００９】
【特許文献１】特開２００６−４２０２６号公報
【特許文献２】特開２００５−１３６５３３号公報
【発明の開示】
【発明が解決しようとする課題】
【００１０】
光ケーブルは内部に含まれる心線の数や構造によって最小曲げ半径が規定されており、光ケーブルの接続にはファイバ間の融着又はファイバに融着した光コネクタを用いることが必要である。このため、光ケーブルを既設建物内におけるエレベータ昇降路に敷設するには、外部から既設建物のエレベータ昇降路内への光ファイバの導入位置、エレベータ昇降路から各階ユーザへの光ケーブルの配線位置や経路を検討することが必要となる。また、各経路における光ケーブルの種類、心線数を選択したり、外部からの引き込みケーブルに含まれる配線をどのように各戸に接続させていくかを検討したりしていくことも必要となる。このように、効率的に光ケーブルを既設建物に敷設する場合にはこのような既設建物特有の事情に基づいて適切な敷設方法を用いることが必要となってくる。
【００１１】
特許文献２に示す従来技術においては、外部と各階ユーザとの間のインターネット通信の信号交信をエレベータ昇降路内の光ケーブルとセパレータと各階に配置されたハブを経由して行うことが提案されている。このようなセパレータやハブは１本の光ケーブルの信号を複数本の光ケーブルに分配する電子機器であり、光ケーブルの本数を少なくすることができる。しかし、このような電子機器用いて既設の建物に光ケーブルによる建物内光伝送路を敷設する場合には、電子機器を屋内に配置できなかったり電子機器を動作させるための電源工事が困難になったりすることから実際の工事が困難になってしまうという問題があった。
【００１２】
このように、従来技術においては、光ケーブルの敷設に関し既設建物に特有の事情に対する配慮が不十分で、既設建物の特有の事情に基づいた効率的な敷設方法が用いられていない場合が多い。
【００１３】
本発明の目的は、既設建物の特有の事情に基づいた建物内光伝送路の効率的な敷設方法を提供することである。
【課題を解決するための手段】
【００１４】
本発明に係る建物内光伝送路の敷設方法は、既設エレベータを有する既設建物においてエレベータ昇降路の外側の区域に設けられ、当該建物に割り当てられる本数の配線を含む引き込みケーブルの各配線の端部が接続される主端子盤と、既設建物の各階においてエレベータ昇降路の外側の区域に設けられ、当該階の各戸の端末に１本ずつ配線される複数の各戸ケーブルの各戸配線の一方端部が接続される階別端子盤と、主端子盤とそれぞれの階別端子盤とを接続する複数の階別配線を各階別端子盤への接続配線本数毎に被覆部によって１本化された複数の階別ケーブルと、を備える建物内光伝送路の敷設方法であって、主端子盤が設けられる区域とエレベータ昇降路との間の昇降路壁の主ケーブル孔と、階別端子盤が設けられる各階の区域とエレベータ昇降路との間の昇降路壁の階別ケーブル孔と、を開けるケーブル孔掘削工程と、既設エレベータの上昇又は下降動作と協調して各階別ケーブルの主端子盤側をエレベータ昇降路の外側から昇降路壁の各階別ケーブル孔を通してエレベータ昇降路内に挿入し、昇降路壁の主ケーブル孔を通して各階別ケーブルの主端子盤側を各階のエレベータ昇降路の外側に引き出し、エレベータ昇降路内を通して主端子盤と各階別端子盤との間に各階別ケーブルを配置する階別ケーブル配置工程と、各階別ケーブルに含まれる階別配線の階別端子盤側を当該階の階別端子盤に接続し、各階別ケーブルに含まれる階別配線の主端子盤側を主端子盤に接続する階別配線接続工程と、を有することを特徴とする。また、各階別ケーブルに含まれる階別配線の階別端子盤側に接続端子を取り付ける階別ケーブル作成工程を有し、階別配線接続工程は、各階別ケーブルに含まれる階別配線の階別端子盤側に取り付けられた接続端子を当該階の階別端子盤に接続し、各階のエレベータ昇降路の外側に引き出した各階別ケーブルに含まれる階別配線の主端子盤側に接続端子を取り付け、各接続端子を主端子盤に接続すること、としても好適である。
【００１５】
本発明に係る建物内光伝送路の敷設方法は、既設エレベータを有する既設建物においてエレベータ昇降路の外側の区域に設けられ、当該建物に割り当てられる本数の配線を含む引き込みケーブルの各配線の端部が接続される主端子盤と、既設建物の各階においてエレベータ昇降路の外側の区域に設けられ、当該階の各戸の端末に１本ずつ配線される複数の各戸ケーブルの各戸配線の一方端部が接続される階別端子盤と、主端子盤とそれぞれの階別端子盤とを接続する複数の階別配線を各階別端子盤への接続配線本数毎に被覆部によって１本化された複数の階別ケーブルと、を備える建物内光伝送路の敷設方法であって、各階別ケーブルに含まれる階別配線の階別端子盤側を当該階に取り付けられる階別端子盤に接続して階別ケーブル付階別端子盤を作成する階別ケーブル付階別端子盤作成工程と、主端子盤が設けられる区域とエレベータ昇降路との間の昇降路壁の主ケーブル孔と、階別端子盤が設けられる各階の区域とエレベータ昇降路との間の昇降路壁の階別ケーブル孔と、を開けるケーブル孔掘削工程と、既設エレベータの上昇又は下降動作と協調して各階別ケーブル付階別端子盤に接続された各階別ケーブルの主端子盤側をエレベータ昇降路の外側から昇降路壁の各階別ケーブル孔を通してエレベータ昇降路内に挿入し、昇降路壁の主ケーブル孔を通して当該各階別ケーブルの主端子盤側を各階のエレベータ昇降路の外側に引き出し、エレベータ昇降路内を通して主端子盤と各階別端子盤との間に当該各階別ケーブルを配置する階別ケーブル配置工程と、当該各階別ケーブルに含まれる階別配線の主端子盤側を主端子盤に接続する階別配線接続工程と、を有することを特徴とする。また、階別配線接続工程は、各階のエレベータ昇降路の外側に引き出した各階別ケーブルに含まれる階別配線の主端子盤側に接続端子を取り付け、各接続端子を主端子盤に接続すること、としても好適である。
【００１６】
本発明に係る建物内光伝送路の敷設方法は、既設エレベータを有する既設建物においてエレベータ昇降路の外側の区域に設けられ、当該建物に割り当てられる本数の配線を含む引き込みケーブルの各配線の端部が接続される主端子盤と、既設建物の各階においてエレベータ昇降路の外側の区域に設けられ、当該階の各戸の端末に１本ずつ配線される複数の各戸ケーブルの各戸配線の一方端部が接続される階別端子盤と、主端子盤とそれぞれの階別端子盤とを接続する複数の階別配線を各階別端子盤への接続配線本数毎に被覆部によって１本化された複数の階別ケーブルと、を備える建物内光伝送路の敷設方法であって、主端子盤が設けられる区域とエレベータ昇降路との間の昇降路壁の主ケーブル孔と、階別端子盤が設けられる各階の区域とエレベータ昇降路との間の昇降路壁の階別ケーブル孔と、を開けるケーブル孔掘削工程と、既設エレベータの上昇又は下降動作と協調して各階別ケーブルの階別端子盤側をエレベータ昇降路の外側から昇降路壁の主ケーブル孔を通してエレベータ昇降路内に挿入し、昇降路壁の各階別ケーブル孔を通して各階別ケーブルの階別端子盤側を各階のエレベータ昇降路の外側に引き出し、エレベータ昇降路内を通して主端子盤と各階別端子盤との間に各階別ケーブルを配置する階別ケーブル配置工程と、各階別ケーブルに含まれる階別配線の主端子盤側を主端子盤に接続し、各階別ケーブルに含まれる階別配線の階別端子盤側を当該階の階別端子盤に接続する階別配線接続工程と、を有することを特徴とする。また、各階別ケーブルに含まれる階別配線の主端子盤側に接続端子を取り付ける階別ケーブル作成工程を有し、階別配線接続工程は、各階別ケーブルに含まれる階別配線の主端子盤側に取り付けられた接続端子を主端子盤に接続し、各階のエレベータ昇降路の外側に引き出した各階別ケーブルに含まれる階別配線の階別端子盤側に接続端子を取り付け、各接続端子を当該階の階別端子盤に接続すること、としても好適である。
【００１７】
本発明に係る建物内光伝送路の敷設方法は、エレベータ昇降路内壁のうち、既設エレベータの上昇又は下降に伴って上下する釣り合い錘が面する内壁面以外の内壁に沿って建物の最下層と最上層の間に光ケーブル案内索を配置する案内索配置工程を有し、階別ケーブル配置工程は、案内索に沿って各階別ケーブルを配置すること、としても好適であるし、主ケーブル孔と主ケーブル孔を貫通する階別ケーブルとの隙間及び、それぞれの各階別ケーブル孔と当該階別ケーブル孔を貫通する階別ケーブルとの隙間に耐火材を充填する耐火材充填工程とを有すること、としても好適であるし、接続端子の取り付けは、それぞれの配線に光コネクタを融着によって取り付けること、としても好適であるし、建物内光伝送路は、引き込みケーブルと主端子盤の間に、当該建物に割り当てられる本数の配線を含んで１本化された中間ケーブルと中間端子盤とを備え、引き込みケーブルの各配線の端部と中間ケーブルの各中間配線の一方端側端部とを中間端子盤で接続し、中間ケーブルの各中間配線の他方端側端部を主端子盤に接続すること、としても好適である。
【発明の効果】
【００１８】
本発明は、既設建物の特有の事情に基づいて建物内光伝送路の敷設を効率的に行うことができるという効果を奏する。
【発明を実施するための最良の形態】
【００１９】
建物内光伝送路の敷設方法に関するいくつかの実施の形態を説明する前に、既設建物に設置される光ケーブルを用いた建物内光伝送路の例について図面を参照しながら説明する。図１は、複数のテナントが入居している既設ビル内に、エレベータ昇降路を利用して、新たに敷設される建物内光伝送路３０を示している。又、図２には、その詳細を示す。このテナントビル１０は、８階建てで、２階から８階の各階にそれぞれ４戸のテナント１２が入居し、１基のエレベータを備えている。図１には、エレベータ昇降路２０と、乗りかご２２が示されている。
【００２０】
図１、図２に示すように、建物内光伝送路３０は、光ケーブルとして、テナントビル１０の外部の主幹線光ケーブルから分岐してテナントビル１０に引き込まれる１本の引き込みケーブル４０と、建物１階に配置された引き込みケーブル４０の各配線４２の端部が接続される主端子盤７０と、各テナント１２ごとに１本ずつ配線される各戸配線６２を含む各戸別ケーブル６０と、各階の各戸別ケーブル６０の各戸配線６２が接続される階別端子盤８０と、主端子盤７０とそれぞれの階別端子盤８０とを接続する複数の階別配線５２を各階別端子盤８０への接続配線本数毎に被覆部によって１本化された複数の階別ケーブル５０とを有する。
【００２１】
テナント１２は、上記のように、２階から８階の各階にそれぞれ４戸であるので、建物内光伝送路３０としては、４戸×７階分＝２８戸の各戸にそれぞれ１本の各戸配線６２を含む各戸ケーブル６０を配線する設計となっている。したがって各戸ケーブル６０は２８本となる。また、１本の引き込みケーブル４０は、テナントビル１０に割り当てられる各戸配線６２と同じ本数の２８本の配線４２を含んで１本化されている。また、各階にはテナント１２が４戸ずつあるので、各階の階別端子盤８０には４本ずつの各戸ケーブル６０の各戸配線６２が接続されている。そして、階別ケーブル５０は、各階端子盤８０に接続されている各戸配線６２と同数の階別配線５２が、すなわち各４本ずつの階別配線５２が含まれて１本化されて、本数は階数分の本数の７本となっている。
【００２２】
すなわち、建物内光伝送路３０は、２８本の配線４２を有する引き込みケーブル４０が１本、４本の階別配線５２を有する階別ケーブル５０が７本、１本の各戸配線６２を有する戸別ケーブル６０が２８本で構成される。そして、７本の階別ケーブル５０は、エレベータ昇降路２０の内壁に沿って、テナントビル１０の最下層と最上層との間に配置される。
【００２３】
図２に示すように、引き込みケーブル４０は幹線光ケーブルから光伝送を管理するキャリア会社のＰＯＮ（Ｐａｓｓｉｖｅ  Ｏｐｔｉｃａｌ  Ｎｅｔｗｏｒｋ）装置によって分岐されたものである。ＰＯＮ装置は、光多重機能を有する装置で、幹線光ケーブルから、複数のユーザにそれぞれ必要な割り当て回線数を分岐することができる装置で、本建物内光伝送路では、テナントビル１０の割り当て回線数としての２８配線分を幹線光ケーブルから分岐している。引き込みケーブル４０はこの２８回線分の配線４２を含んでいる。図２（ａ）に示すように、この引き込みケーブルは４本の配線４２が１つのテープスロット４５に収められ、中央のテンションバー４３を囲んで７つのテープスロット４５が配置されて１つの被覆部４１によって覆われ、１本化された光ケーブルを形成している。テンションバー４３は、１本化された光ケーブルが過度に曲げられることのないようにする機能のほか、１本化された光ケーブル自体の剛性を増す役割を有する。テンションバー４３は、導体通信線と明確に区別できるように、導体金属でないことが望ましい。例えば、アラミド繊維のようにファイバ強化樹脂等を用いることが好ましい。そして、これらの各配線４２は、それぞれ主端子盤７０に接続されている。
【００２４】
図２に示すように、テナントビル１０の１階にあるエレベータ昇降路２０の外側の区域には、引き込みケーブルの各配線４２のそれぞれの端部が接続される主端子盤７０が設置されている。主端子盤７０は引き込みケーブル４０に含まれる２８本の配線４２がそれぞれ１つの接続端子９０に接続できるように、引き込みケーブル側に引き込みケーブル４０に含まれる配線４２と同数の２８個の接続端子９０を有している。そして、それぞれの接続端子９０には各階別配線５２が接続されている。
【００２５】
各階別配線５２は各階の階別端子盤８０に接続する階別配線数ごとに被覆によって１本化されている。本建物内光伝送路では、４本ずつの階別配線５２が図２（ｂ）に示すように１本化されている。階別ケーブル５０は、４本の階別配線５２が中央のテンションバー５３を囲んで配置されて１つの被覆部５１によって覆われ、１本化された光ケーブルを形成している。また、テンションバー５３は、引き込みケーブル４０の場合と同様に、例えばアラミド繊維を用いることが好ましい。
【００２６】
本建物内光伝送路では、それぞれ４本ずつの階別配線５２を含んで１本化された７本の各階別ケーブル５０は、テナントビル１０の１階部分の昇降路壁２１に設けられた主ケーブル孔３１と昇降路壁２１の各階に設けられた階別ケーブル孔３３とを通って、エレベータ昇降路２０の内部を通して１階と各階との間に配設されている。７本の階別ケーブル５０はそれぞれ主端子盤７０の配設されている１階と、２階から８階までの各階との間に設置されている。
【００２７】
各階のエレベータ昇降路２０の外側の区域には、各戸ケーブル６０の各戸配線６２の端部が接続される階別端子盤８０が配設されている。また、各戸ケーブル６０の各戸配線６２の他の端部は各テナント１２にそれぞれ配設される各戸端末１４に接続されている。図２に示すように、階別端子盤８０は各戸ケーブル６０に含まれる１本の各戸配線６２がそれぞれ１つの接続端子９２に接続できるように、各戸ケーブル６０と同数の４個の接続端子９２を有している。そして、それぞれの接続端子９２には、各階に通された各階別ケーブル５０の階別配線５２の端部が接続されている。図２（ｃ）に示すように各戸ケーブル６０は、１本の各戸配線６２が中央に配置され、周囲にテンションバー６３を有する被覆部６１によって覆われている。テンションバー６３は、他のケーブルの場合と同様に、例えばアラミド繊維を用いることが好ましい。
【００２８】
本建物内光伝送路では、２階から８階までの各階に配設された階別端子盤８０には、それぞれ４本の階別配線５２と４本の各戸配線６２とが接続されている。そして、引き込みケーブル４０に含まれた２８本の各配線４２は主端子盤７０からそれぞれの階別配線５２を介して各階の階別端子盤８０に接続され、各階別端子盤８０から各戸配線６２を介して、それぞれ各戸端末１４に接続されている。
【００２９】
上記の各配線４２，５２，６２は、光ファイバを被覆で覆って一本の光配線としたものである。各配線同士の光学的接続は、配線の被覆を取り除いた光ファイバ同士を融着するか、光ファイバの先端に光コネクタを取り付け、光コネクタ付き光ファイバとし、２つの光コネクタ付き光ファイバを、接続光コネクタを介して光学的に接続することで行われる。
【００３０】
主端子盤７０及び階別端子盤８０はそれぞれ各配線同士を上記のような方法によって接続端子９０で１対１に接続するのみで、ＰＯＮ装置のような信号の分岐をおこなうものではない。このため、主端子盤７０及び階別端子盤８０には、駆動用の電源も不要で、設置場所が屋外となっても設置環境、温度が問題となることは無い。
【００３１】
図３は、階別ケーブル５０とエレベータ昇降路２０との関係を説明する平面図である。エレベータ昇降路２０は、乗りかご２２の開閉扉側の乗り場口２３を除いて昇降路壁２１で囲まれている。乗り場口２３には乗り場ボタン２５が設けられている。エレベータ昇降路２０の内壁には、エレベータ昇降路２０に沿って最下層と最上層との間に光ケーブル案内索２８が設けられる。光ケーブル案内索２８は、７本の階別ケーブル５０を、建物の目的階まで垂直方向に配置する際の案内及び結び付け保持のための垂直部材で、例えば、エレベータ制御ケーブル等を保持するために従来から用いられているいわゆるメッセンジャーワイヤと同等のものを用いることができる。光ケーブル案内索２８は、外部との高速通信用の光ケーブルを保持するものであるので、従来のメッセンジャーワイヤとは別個に設けられることが望ましい。
【００３２】
光ケーブル案内索２８は、エレベータ昇降路２０内を上下する釣り合い錘２４が面する内壁を除いた内壁面２６の適当な位置に配置される。すなわち、乗りかご２２の開閉扉が向かい合う内壁面、乗りかご２２において開閉扉の両側面に向かい合う内壁面の適当な位置に配置される。そして、７本の階別ケーブル５０もまた、釣り合い錘２４が面する内壁を除いた内壁面２６に沿って配置される。図３の例では、このテナントビル１０の配置からみて、階別ケーブル５０を乗り場口２３の昇降路壁２１の天井側に主ケーブル孔３１を設けて、昇降路壁２１の外側の区域に設けられる主端子盤７０と接続することが望ましい場合であったので、光ケーブル案内索２８は、乗りかごの側面に向かい合う内壁面２６に設けられている。
【００３３】
なお、図３は、建物１階における様子を示す図であるので、上記のように乗り場口２３の昇降路壁２１の天井側に主ケーブル孔３１が設けられ、合計７本の階別ケーブル５０がその主ケーブル孔３１を貫通するように配置される。そして、２階から８階の各階にも、同様の位置、すなわち各階の乗り場口２３の昇降路壁２１の天井側に各階別ケーブル孔が設けられ、そこには、光ケーブル案内索２８から対応する各階用の階別ケーブル５０が１本だけ分けられて通され、昇降路壁２１の外側の区域に設けられる階別端子盤８０に向かって配置される。
【００３４】
主端子盤７０は、エレベータ昇降路２０の昇降路壁２１の外側の区域であって、主ケーブル孔３１に近い場所に配置される。図３の例では、エレベータ昇降路２０の昇降路壁２１であって、主ケーブル孔３１のごく近くの壁面に取り付けられる。壁面上の高さ位置は必ずしも天井側でなくてもよく、好ましくは、後述の光ファイバ融着作業あるいは光接続コネクタの接続に便利なように適当な作業空間が確保できる位置がよい。なお、図１で説明したように、テナントビル１０は、１階にはテナント１２が入居しておらず、エレベータ昇降路２０の脇に適当な空間が確保することが可能である。
【００３５】
同様に、各階別端子盤８０も、エレベータ昇降路２０の昇降路壁２１の外側の区域であって、各階別ケーブル孔に近い場所に配置される。図３の例では、エレベータ昇降路２０の昇降路壁２１であって、各階別ケーブル孔３３のごく近くの壁面に取り付けられる。２階以上の各階には、テナント１２が入居しているので、壁面上の取り付け位置は、天井側に近い方が好ましい。
【実施例１】
【００３６】
図４から１０を参照して、本発明の実施形態を以上説明した建物内光伝送路３０に適用する場合について説明するが、これらにおける建物の階数、戸数、建物の用途、構造等は、既設建物の事情の例示であって、これら以外の階数、戸数、用途、構造等であってもよい。また、以下において、既設建物、既設エレベータというときの既設とは、建物全体が既に完成し、居住者やテナント等が既に利用しており、またその建物に既にエレベータが備えられていて既に運行されており、居住者やテナントが既に利用していることを指す。つまり、典型的には、いわゆる中古ビルが中古エレベータを備える状態であり、新築建設中の建物で既に建設済みの部分の状態を指すものではない。
【００３７】
先に図３に示した建物内光伝送路３０で説明したように、テナントビル１０の建物内光伝送路３０の敷設においては、テナントビル１０の配置から、１階にはテナント１２が入居しておらず、エレベータ昇降路２０の脇に適当な空間が確保することが可能であるので、ここに主端子盤７０を配置している。そして、エレベータの乗り場口２３側に主ケーブル孔３１を開けて主端子盤７０との間に階別ケーブル５０を配設することが望ましい配置となるので、昇降路壁２１のエレベータの乗り場口２３側の天井側に主ケーブル孔３１を設け、階別ケーブル５０を固定していく光ケーブル案内索２８を、乗りかごの側面に向かい合う内壁面２６に設け、階別ケーブル５０を乗りかごの側面に向かい合う内壁面２６に沿って配設するようにしている。また、２階以上の各階には、テナントが入居しているので、階別端子盤８０の壁面上の取り付け位置は、天井側に近い方に取り付けるようにしている。
【００３８】
このように、既設エレベータを有する既設建物に、建物内光伝送路３０を敷設する場合には、まず既設建物の配置を調査して光ケーブルの敷設ルートを決めていく敷設ルート選定工程がある。そして、敷設ルート選定工程によって選定された敷設ルートに基づいて、引き込みケーブル４０、各階別ケーブル５０、各戸ケーブル６０の長さ、本数などを決定する。このように敷設ルートと各ケーブルの長さが決定された後、敷設長さ、必要配線数にあわせた各ケーブル４０，５０，６０が作成される。
【００３９】
これら３種類のケーブル４０，５０，６０の内、エレベータ昇降路２０の中に配置される階別ケーブル５０の敷設は、既設のエレベータの乗用の使用を停止して行うことから、建物内光伝送路３０の敷設において一番効率的な作業が要求される。エレベータの乗用停止期間が長ければ、その分だけテナント、あるいは居住者の受ける不便が大きいからである。
【００４０】
図４に示すように、階別ケーブル５０の階別端子盤側は、階別ケーブル５０の被覆５１をはがして、各階別配線５２を露出させ、この各階別配線５２の端部に光コネクタ５６を取り付ける。この光コネクタ５６の取り付けは階別配線５２に光コネクタ５６を融着させても良いし、機械固定式の接続装置によって光コネクタ５６を取り付けても良い。他方の主端子盤側にはコネクタの取り付けは行わない。これは、階別ケーブルを昇降路壁２１に設ける階別ケーブル孔３３、主ケーブル孔３１に通す場合に、光コネクタ５６が損傷することを防止することと、貫通孔を小さくして、孔の切削を容易にするためである。
【００４１】
図４に示すように、階別ケーブル５０と同様に各戸ケーブル６０の階別端子盤側にも光コネクタ５６を接続しておく。各戸ケーブルの敷設時間の短縮を図るためである。階別ケーブル５０への光コネクタ５６の取り付けは現地でケーブル敷設前に実施しても良いが、事前に加工工場において融着等によって接続しておくことが好ましい。工場にて光コネクタ取り付け部分の接続検査を行うことによってより良い接続品質を確保することが出来るためである。
【００４２】
また、主端子盤７０、階別端子盤８０も先の既設建物の敷設ルート調査結果に基づいて、各盤７０，８０に必要な数の接続端子９０，９２を備えたものをあらかじめ工場にて作成しておく。上記のように作成した各ケーブル４０，５０，６０及び各端子盤７０，８０などをテナントビル１０に搬入して建物内光伝送路の敷設を行う。
【００４３】
図５に示すように、各端子盤７０，８０はあらかじめ敷設ルート選定工程において選定された位置に取り付けられる。主端子盤７０はエレベータ昇降路２０の外側の区域でテナント１２の入っていない１階に配置され、各階別端子盤８０は各階のエレベータ昇降路２０の外側の区域の天井側に配置されている。また、主端子盤７０に接続される引き込みケーブル４０は主端子盤７０に向かってテナントビル１０の最下階から導入される。引き込みケーブル４０はテナントビル１０の各テナント１２の各戸端末１４に接続される２８本の配線４２を含んで１本化されていることから、引き込み工事において、引き込みケーブル用に開ける孔は一本で済むことから工事を簡素化し、工事期間を短縮することが出来る。
【００４４】
図５に示すように、主端子盤７０の配置されるテナントビル１０の１階の昇降路壁２１には主ケーブル孔３１を開け、各階の階別端子盤８０に近い天井側の昇降路壁２１には階別ケーブル孔３３が開けられる。これらの孔はコンクリートなどの防火材で形成されている昇降路壁２１にドリルなどによって孔を掘削することによって行う。このケーブル孔掘削工程では、各階の昇降路壁２１の外側からエレベータ昇降路２０に向かって孔を掘削しても良いし、既設エレベータの乗りかご２２の天井に作業員が乗り、エレベータ昇降路２０の内側から外側に向かって孔を開けるようにしてもよい。
【００４５】
また、図３で説明したように、エレベータ昇降路２０の昇降路壁２１には、敷設ルート選定工程において選定された階別ケーブル５０のエレベータ昇降路内の配置位置にあわせて、光ケーブル案内索２８を設置する。光ケーブル案内索２８の設置は作業員が乗りかご２２の上に乗って乗りかご２２を上昇又は下降させて所定の位置に停止させて、その位置のエレベータ昇降路２０の昇降路壁２１に案内索取り付け部材２９を設置していく。案内索取り付け部材２９は例えばホールインアンカなどでも良い。この後、乗りかご２２を上昇又は下降させて光ケーブル案内索２８を案内索取り付け部材２９に固定していく。また、案内索取り付け部材２９に光ケーブル案内索２８をあらかじめ取り付けておき、乗りかご２２を上昇又は下降させて案内索取り付け部材２９を固定することによって光ケーブル案内索２８を取り付けるようにしても良い。
【００４６】
引き込みケーブル４０の引き込みと各端子盤７０，８０の設置、各ケーブル孔３１，３３の掘削工程が終了すると、各戸ケーブル６０及び階別ケーブル５０の設置を行う。図６に示すように、各戸ケーブル６０は、図４で説明したように、各階端子盤側の光コネクタ５６が取り付けられているので、各階のテナント１２の各戸端末１４と各階別端子盤８０との間に各戸ケーブル６０を敷設して、その各階端子盤８０に光コネクタ５６を接続することによって各戸配線６２を各階端子盤８０に接続する。また、引き込みケーブル４０の主端子盤側は現地にて光コネクタ５６を融着または機械的な接続固定によって取り付けて、この光コネクタ５６を主端子盤７０に接続しても良いし、主端子盤７０に直接融着によって接続しても良い。
【００４７】
図６に示すように、階別ケーブル５０は光コネクタ５６が工場にて取り付けられていない主端子盤側を昇降路壁の階別ケーブル孔３３を通してエレベータ昇降路２０の中に挿入される。挿入作業は、所定の高さに停止させた乗りかご２２の上に作業員が乗り、階別ケーブル孔３３のエレベータ昇降路２０の外側にいる別の作業員の繰り出すケーブルを受け取って乗りかご２２の上に乗せることによって行う。各階別ケーブル５０は工場にて各階に必要な長さに調整されて作成されていることから、各階で階別ケーブル孔３３と階別端子盤８０との間を接続する長さ分を各階に残し、他の階別ケーブル５０はエレベータ昇降路２０の中の乗りかご２２の上に乗せる。
【００４８】
図７に示すように、階別ケーブル５０をエレベータ昇降路２０の内部に挿入し終わったら、乗りかご２２をゆっくり下降させながら、階別ケーブル５０を光ケーブル案内索２８に沿わせて結束部材３５によって光ケーブル案内索２８に結束していく。結束部材は光ケーブル案内索２８と階別ケーブル５０とを結束できればどのような材質でも良いが、不燃性の金属などの部材とするのが好ましい。結束部材３５は所定の間隔で取り付けていく。また、乗りかご２２の上の作業員が結束部材３５の取り付けを行う際には、乗りかご２２は停止させて作業を行う。このようにして階別ケーブル５０をエレベータ昇降路２０の内部に設置していく。そして、階別ケーブル５０を主端子盤７０の設置されている階までエレベータ昇降路２０の内部に設置したら、乗りかご２２を停止させて、乗りかご２２の上の作業員はエレベータ昇降路２０の中から主ケーブル孔３１に階別ケーブル５０を通す。そしてエレベータ昇降路２０の外側の主端子盤７０の設置階にいる別の作業員は、通された階別ケーブル５０を引きだす。このようにして、階別ケーブル５０をエレベータ昇降路２０の外側に引き出す。この工程が階別ケーブル配置工程である。
【００４９】
階別ケーブル５０の主端子盤側には各ケーブル孔３１，３３をスムースに通すために光コネクタ５６は取り付けられていないので、主端子盤７０への接続の前に階別ケーブル５０の被覆５１をはがして階別配線５２を取り出し、この先に光コネクタ５６を融着又は機械的な接合によって取り付ける。そして光コネクタ５６を取り付けた階別ケーブル５０を主ケーブル孔３１から主端子盤７０まで配設し、光コネクタ５６を主端子盤７０の接続端子９０に接続する。主ケーブル孔３１のエレベータ昇降路２０の外側から主端子盤７０までの距離が長い場合には、階別ケーブル５０を主端子盤７０の近傍間で配設し、その後光コネクタ５６の接続及び接続端子９０への接続を行ってもよい。
【００５０】
上記のように、１つの階の階別端子盤８０と主端子盤７０との接続が終了したら、他の階も順次、階別端子盤８０と主端子盤７０との間を先に述べたのと同様の方法によって接続していく。
【００５１】
以上の階別ケーブル配置工程と、階別配線５２の接続は、各階毎に階別端子盤８０から主端子盤７０まで階別ケーブル５０の配設と階別配線５２を順次接続をしていく方法であるが、乗りかご２２の上に多くケーブルを乗せることが出来れば、複数の階の階別端子盤８０と主端子盤７０との接続を同時に行っても良い。
【００５２】
図８の１点鎖線にて示すように、１つの階の階別ケーブル孔３３から階別ケーブル５０の主端子盤側をエレベータ昇降路２０の中に通して乗りかご２２の上に乗せ、次の下の階に乗りかご２２を下降させて、次の階の階別ケーブル孔３３から階別ケーブル５０の主端子盤側をエレベータ昇降路２０の中に挿入し、乗りかご２２の上に乗せる。このように順次乗りかご２２を下降させながら各階別ケーブル５０の主端子盤側を階別ケーブル孔３３からエレベータ昇降路２０に挿入して乗りかご２２の上に乗せていく。また、乗りかご２２を順次下降させていくと同時に、乗せてある複数階の階別ケーブル５０それぞれを光ケーブル案内索２８に沿わせて、複数の階別ケーブル５０を光ケーブル案内索２８に結束部材３５によって結束していく。
【００５３】
図９に示すように、この結束は、上層階から下層階に下降していくに従って同時に結束する階別ケーブル５０の本数が多くなり、最下層の主端子盤７０の階ではすべての各階別ケーブル５０を同時に結束部材３５によって結束することとなる。そして、光ケーブル案内索２８に結束の終わった複数の階別ケーブル５０の主端子盤側を主ケーブル孔３１から主端子盤７０に向かって引き出す。引き出した複数の階別ケーブル５０は順次主端子盤７０まで配設され、その先端に光コネクタ５６を取り付けて、順次接続端子９０に接続していく。
【００５４】
このような工事方法は、乗りかご２２の上部にどのくらいの階別ケーブル５０を同時に乗せることが出来るかによって、同時にエレベータ昇降路２０の中に配設することの出来る階別ケーブル５０の本数が決まってくるので、２階分を一度に工事してもよいし、７階分すべてを１回で工事してもよい。
【００５５】
階別配線５２の接続が終了したら、各配線４２，５２，６２の接続確認試験が行われる。試験は、引き込みケーブル４０の各配線４２と各テナント１２に設置されている各戸端末１４との間に試験光伝送を行って行なわれ、接続光コネクタにおける接続の合否の判断と、各配線４２と各戸端末１４が対応して接続されているかどうかについても判断される。試験の結果、接続上の不具合が発見された場合には、その配線４２，５２，６２の各光コネクタ５６の取り付けや各接続端子９０，９２との対応を確認、修正する。最終確認の結果、良好に接続されている状態となったら、配線作業は終了する。
【００５６】
図１０に示すように、各階の階別端子盤８０と主端子盤７０との間のすべての階別ケーブル５０の配置と階別配線５２の接続が終了したら、各階別ケーブル孔３３及び主ケーブル孔３１の階別ケーブル５０との隙間に耐火材３７を詰め込んでエレベータ昇降路２０が防火壁としての機能を有するようにする。耐火材３７の充填はエレベータ昇降路２０の外側から行っても良いし、内側から行っても良いし、両側から行っても良い。エレベータ昇降路２０の内側から耐火材３７の充填を行う場合には、乗りかご２２を上昇又は下降させて各孔の位置に乗りかご２２の位置を調整して、乗りかご２２の上に乗った作業員が耐火材３７の充填作業を行う。耐火材３７の充填が終了したら、エレベータ昇降路２０内部の清掃を行い、階別ケーブル５０の配置と階別配線５２の接続作業は終了する。
【００５７】
以上述べた本実施形態によると、エレベータ昇降路２０に階別ケーブル５０を敷設するので床に孔あけが不要となり簡便で効率的な建物内光伝送路の敷設が行えるという効果を奏する。また、建物内にＰＯＮ、ハブ、セパレータ等の電子機器を配置せず、引き込みケーブル４０の配線４２を単純構造の各端子盤７０，８０によって接続していくので、各端子盤７０，８０を屋外に配置したケーブルルートなど自在なルート構成がとれる上、このような電子機器を使わないので電子機器用の電源が不要で、電源が近くから取れないようなケーブルルートも可能となるなど、既設建物の事情を考慮した良好なケーブルルートとすることができる。また、電子機器用の電源工事が無いので工事がより簡便化されるという効果を奏する。
【００５８】
更に、引き込みケーブル４０、階別ケーブル５０、各戸ケーブル６０はそれぞれが１本化されていることから工事上の取り回しが簡単で配置工事を効率的に行うことが出来るという効果を奏する。また、階別ケーブル５０は一方に光コネクタ５６を付けておいて光コネクタ５６を取り付けていない側からエレベータ昇降路２０に入れていけるので、ケーブル挿入が簡単で、階別ケーブル５０の損傷を防止することが出来る上、光コネクタ５６をあらかじめ取り付けておいた側はすぐに階別配線５２の接続工事が行えることから、工事を効率的に進めることが出来る。更に、光コネクタ５６をあらかじめ取り付る側を選ぶことによって、各階の階別端子盤側からでも主端子盤側からでも階別ケーブル５０の挿入ができるので、上層階から下層階に向かって階別ケーブル５０を落としこんで配置していく配置が可能となることから、敷設工事の効率化を図ることができるという効果を奏する。このように、本実施形態は、既設建物の特有の事情に基づいて建物内光伝送路の敷設を効率的に行うことができるという効果を奏する。
【実施例２】
【００５９】
図１１を参照しながら、第２の実施形態について説明する。先に説明した実施形態と同様の部分には同様の符号を付してその説明は省略する。本実施形態では、図１１（ａ）に示すように、当該階に取り付けられる階別端子盤８０と階別ケーブル５０の階別端子盤側の階別配線５２とを階別端子盤８０を建屋内に搬入する前に予め接続して階別ケーブル付階別端子盤８１を作成する。この階別ケーブル付階別端子盤８１の作成は、工場などで階別配線５２を階別端子盤８０に融着によって直接接続しても良いし、階別配線５２の先端に光コネクタ５６を融着又は機械的接続によって接続し、その光コネクタ５６を階別端子盤８０に工場などで接続したものとしても良いし、光ケーブルの敷設現場近くにおいて階別端子盤８０を建屋内に搬入する前に接続しておいても良い。
【００６０】
そして、先に説明した実施形態と同様に、主端子盤７０の配置されるテナントビル１０の１階の昇降路壁２１には主ケーブル孔３１を開け、各階の階別端子盤８０に近い天井側の昇降路壁２１には階別ケーブル孔３３が開けられる。次に、先の実施形態と同様にエレベータ昇降路２０の昇降路壁２１に光ケーブル案内索２８を設置すると共に、主端子盤７０の設置と引き込みケーブル４０の引き込み及び主端子盤７０への接続を行なう。
【００６１】
図１１（ｂ）に示すように、階別ケーブル付階別端子盤８１は、予め敷設ルート選定工程によって選定された取付位置近くに搬入される。階別ケーブル付階別端子盤８１が各階に搬入された状態では、各階の各戸ケーブル６０と階別ケーブル付階別端子盤８１との間はまだ接続されておらず、各階の、例えば床上に階別ケーブル付階別端子盤８１とそれにすでに接続されている階別ケーブル５０とが搬入される。
【００６２】
図１１（ｂ）に示すように、搬入された階別ケーブル付階別端子盤８１は、例えば、天井面のような予め選定された設置位置に設置され、図１１（ａ）に示すように、各階の各戸ケーブル６０が階別ケーブル付階別端子盤８１の端子９２に接続される。一方、階別ケーブル付階別端子盤８１に取り付けられた階別ケーブル５０の主端子盤側は、先の実施形態と同様に、階別ケーブル孔３３を通してエレベータ昇降路２０の中に挿入される。この後の階別ケーブル５０の挿入と光ケーブル案内索２８との結束、主ケーブル孔３１からの引き出しと主端子盤７０への接続は先に説明した実施形態と同様である。
【００６３】
本実施形態は、先の実施形態の効果に加えて、当該階に取り付けられる階別端子盤８０と階別ケーブル５０の階別端子盤側の階別配線５２を階別端子盤８０を建屋内に搬入する前に予め接続していることから、光ケーブルの敷設現場における接続作業が不要となり、全体の工事期間を短縮することができるという効果を奏する。また、現地における接続作業が低減されることからこれに伴ったコネクタの汚れなどの発生の可能性が低減され、光ケーブルの接続品質の向上が図れるという効果を奏する。更に、光ケーブル接続の専門技術員以外の作業員による階別ケーブル付階別端子盤８１の取付作業が可能となるため、多様な工事施工によって工期の短縮を図ることが出来るという効果を奏する。
【実施例３】
【００６４】
図１２を参照しながら、第３の実施形態について説明する。先に説明した実施形態と同様の部分には同様の符号を付してその説明は省略する。
【００６５】
上記の実施形態では、主端子盤７０がテナントビル１０の配置の関係から１階部分に設置され、各階の階別ケーブル孔３３から階別ケーブル５０の主端子盤側をエレベータ昇降路２０に挿入して階別ケーブル５０の配設を行ったが、図１２に示す別のテナントビル１１は、ビルの配置から主端子盤７０が最上階に設置されている。テナント１２は１階から８階までに入っている。また、各階のテナント数は先のテナントビル１０と同様に４店ずつとなっている。このような場合は、このテナントビル１１に割り当てられる配線本数は４×８＝３２本となる。したがって引き込みケーブル４０は３２本の配線４２を含み、主端子盤７０は３２の接続端子を有している。また、各階の各戸ケーブル６０と各戸ケーブルに１本ずつ入っている各戸配線６２の数は４本となることから、階別ケーブル５０の各階での配線本数は４本となる。このことから、階別ケーブル５０に含まれる階別配線５２の数は４本となっている。
【００６６】
このように、最上階に主端子盤７０が設置される場合には、階別ケーブル５０は主端子盤７０の階にある主ケーブル孔３１からエレベータ昇降路２０の中に挿入して、上層階側から設置していくことが効率的である。このため、階別ケーブル５０は主端子盤側の各階別配線５２に光コネクタ５６を取り付け、光コネクタ５６が取りつけられていない階別端子盤側からエレベータ昇降路２０の中に挿入され、階別ケーブル孔３３から各階の階別端子盤８０に向かって引き出されてエレベータ昇降路２０の中に配置される。各階別ケーブル５０の結束、接続方法は先に説明した実施形態と同様である。
【００６７】
上記の実施形態も先の実施形態と同様の効果を奏する。
【実施例４】
【００６８】
第４の実施形態は、既設集合住宅内に、エレベータ昇降路を利用して、新たに敷設される建物内光伝送路である。この例の集合住宅は、６階建てで、各階にそれぞれ２２室の部屋があり１基のエレベータを備えている。図１３に、この集合住宅２００のエレベータ昇降路２０を含む１階の平面図が示されている。なお、図１から図１２で説明したのと同様の要素には同一の符号を付し、詳細な説明は省略する。
【００６９】
この集合住宅２００の各階のエレベータ昇降路２０の横には、電気配線等を各階に通すためのいわゆるＥＰＳ（Ｅｌｅｃｔｒｉｃ  Ｐｉｐｅ  Ｓｐａｃｅ）２０２の空間が設けられている。但し、光ケーブルを新たにこのＥＰＳ２０２内に敷設する余裕の空間はない。また、この集合住宅２００のエレベータ昇降路２０は、横長の建物の中央近くに配置され、光ケーブルの外部からの引き込み地点２０１から遠く離れている。具体的には引き込み地点２０１からエレベータ昇降路２０まで数１０ｍ離れている。
【００７０】
先に説明した各実施形態では、いずれも主端子盤７０の配置位置が建物の外壁から近くに設けられ、引き込みケーブル４０の長さがあまり長くないので、主端子盤７０の接続地点までをキャリア会社の所有及び責任とすることが可能である。図１３の集合住宅２００の例では、エレベータ昇降路２０の近くに主端子盤７０を配置するとなると、階別ケーブル５０の取り扱いは便利であるが、集合住宅２００の建物内のかなりの長さの光ケーブルの管理責任が、キャリア会社か集合住宅２００の管理者かで問題となる。
【００７１】
そこで、１階のＥＰＳ２０２に主端子盤７０を配置し、引き込み地点２０１から主端子盤７０までは遠いので、引き込みケーブル４０をそのまま主端子盤７０まで延伸するのではなく、引き込み地点２０１の近くの建物内に適当な中間端子盤２０４を設ける。そして、中間端子盤２０４から主端子盤７０まで、複数の中間配線を含む中間ケーブル２０６を用いて接続する。
【００７２】
また、各階にはエレベータ昇降路２０の横に同様にＥＰＳ２０２が設けられているので、この各階ＥＰＳ２０２に、１階の主ケーブル孔３１と主端子盤７０の配置と同様な配置で、各階用の各階別ケーブル孔３３と各階別端子盤８０を設けることができる。また、エレベータ昇降路２０内には、光ケーブル案内索２８を建物の最下層と最上層の間に設け、階別ケーブル５０を案内して配置することができる。
【００７３】
この建物内光伝送路２３０を構成する各要素の芯線数は以下の通りである。すなわち、この集合住宅２００においては、１階から６階のそれぞれに２２本の戸別ケーブル６０に含まれる各戸配線６２を配線する。引き込みケーブル４０は標準品の１４４芯のテープスロットケーブルを用い、６×２４本＝１４４本の配線４２を含み、被覆部で１本化されている。中間ケーブル２０６も、同様に、６×２４本＝１４４本の中間配線２０８を含み、被覆部で１本化されている。階別ケーブル５０も標準の２４本の芯線を持つものを使用している。このため、それぞれ２４本の階別配線５２を含み、被覆部で１本化され、合計６本である。それぞれ１本ずつの各戸配線６２を含む戸別ケーブル６０は、各階にそれぞれ２２本で、合計１３２本である。また、中間端子盤２０４、主端子盤７０は１４４個の接続端子９２を有する。また、各階の階別端子盤８０は階別ケーブル５０に含まれる階別配線５２の本数にあわせて、２４個の接続端子を有している。
【００７４】
上記の実施形態では階別ケーブル５０に標準の２４芯ケーブル使用しているため、階別ケーブル５０に含まれる階別配線数が各階の各戸配線６２の数よりも多くなっている。
【００７５】
上記の実施形態では、主端子盤７０が１階部分に配置されているので、各階の階別端子盤８０と主端子盤７０との間の階別ケーブル５０の敷設、配線工事は図５から図１０で説明したのと同様に上層の各階の階別ケーブル孔３３から階別ケーブル５０をエレベータ昇降路２０の中に挿入して配置する。
【００７６】
主端子盤７０と中間端子盤２０４との間は１本の中間ケーブル２０６によって接続されている。中間ケーブル２０６は、内部に含まれている中間配線数が１４４本と多いことから、あらかじめ工場にて中間配線２０８の両端に光コネクタ５６を取り付けて、効率的に配線することとしても良い。既設建物の事情によっては、中間ケーブル２０６を複数本として別々のルートに配置することによって、配置スペースを確保することとしても好適である。
【００７７】
上記の実施形態は先に述べた実施形態に加え、中間ケーブル２０６の接続も端子盤を用いて行うことから、建物内にＰＯＮ、ハブ、セパレータ等の電子機器を配置せず、電子機器用の電源が不要で、電源が近くから取れないようなケーブルルートも可能となるなど、既設建物の事情を考慮した良好な中間ケーブルルートとすることができる。また、中間ケーブル２０６は１本化されているので効率的に敷設工事を行うことが出来るという効果を奏する。このように、本実施形態は、既設建物の特有の事情に基づいて建物内光伝送路の敷設を効率的に行うことができるという効果を奏する。
【図面の簡単な説明】
【００７８】
【図１】既設建物に設置される建物内光伝送路の構成を示す図である。
【図２】既設建物に設置される建物内光伝送路において、引き込みケーブルから各戸端末までの階別ケーブルの配線経路と各端子盤での接続を示した図である。
【図３】既設建物に設置される建物内光伝送路において、階別ケーブルとエレベータ昇降路との関係を説明する平面図である。
【図４】本発明に係る実施形態において、階別ケーブルの各階別配線への接続端子の取付と各戸ケーブルの各戸配線への接続端子の取付けと、階別端子盤での接続を示す図である。
【図５】本発明に係る実施の形態において、主端子盤と階別端子盤の設置とケーブル孔掘削工程と案内索の設置を示す説明図である。
【図６】本発明に係る実施の形態において、階別ケーブルを階別ケーブル孔からエレベータ昇降路内に挿入する工程を示す説明図である。
【図７】本発明に係る実施の形態において、階別ケーブルを主ケーブル孔から引出して階別ケーブルをエレベータ昇降路内に配置する工程を示す説明図である。
【図８】本発明に係る実施の形態において、各階別ケーブルを各階別ケーブル孔からエレベータ昇降路内に挿入する工程を示す説明図である。
【図９】本発明に係る実施の形態において、各階別ケーブルを主ケーブル孔から引出して各階別ケーブルをエレベータ昇降路内に配置する工程を示す説明図である。
【図１０】本発明に係る実施の形態において、階別ケーブルの階別配線を接続する接続工程と耐火材充填工程を示す説明図である。
【図１１】第２の実施形態において、階別ケーブル付階別端子盤の取り付け及び階別ケーブルを階別ケーブル孔からエレベータ昇降路内に挿入する工程を示す説明図である。
【図１２】第３の実施形態において、階別ケーブルを主ケーブル孔からエレベータ昇降路内に挿入し、階別ケーブル孔から引出して階別ケーブルをエレベータ昇降路内に配置する工程を示す説明図である。
【図１３】第４の実施形態において、集合住宅のエレベータ昇降路を含む１階の平面図である。
【図１４】光ケーブルによる通信伝送路網の概念図である。
【符号の説明】
【００７９】
１０，１１  テナントビル、１２  テナント、１４  各戸端末、２０  エレベータ昇降路、２１  昇降路壁、２２  乗りかご、２３  乗り場口、２４  釣り合い錘、２５  乗り場ボタン、２６  内壁面、２８  光ケーブル案内索、２９  案内索取り付け部材、３０，２３０  建物内光伝送路、３１  主ケーブル孔、３３  階別ケーブル孔、３５  結束部材、３７  耐火材、４０  引き込みケーブル、４１，５１，６１  被覆部、４２  配線、５２  階別配線、４３，５３、６３  テンションバー、４５  テープスロット、５０  階別ケーブル、５６  光コネクタ、６０  戸別ケーブル、６２  各戸配線、７０  主端子盤、８０  階別端子盤、８１  階別ケーブル付階別端子盤、９０，９２  接続端子、２００  集合住宅、２０１  引き込み地点、２０４  中間端子盤、２０６  中間ケーブル、３０３  支線光ケーブル、３０４  建屋内光ケーブル、３０６  個別光ケーブル、３０７  基幹局、３０８  基幹分配器、３１０  主分配器、３１１  分配器、３１２  端末、３１３  接続器、３１４  建物、３１６  光ドロップケーブル、３１７  住宅。
【図１】
2008058766.tif 000003
【図２】
2008058766.tif 000004
【図３】
2008058766.tif 000005
【図４】
2008058766.tif 000006
【図５】
2008058766.tif 000007
【図６】
2008058766.tif 000008
【図７】
2008058766.tif 000009
【図８】
2008058766.tif 000010
【図９】
2008058766.tif 000011
【図１０】
2008058766.tif 000012
【図１１】
2008058766.tif 000013
【図１２】
2008058766.tif 000014
【図１３】
2008058766.tif 000015
【図１４】
2008058766.tif 000016